(57)【要約】【課題】インクジェットプリンタで印刷された印刷紙を収納しても印刷画像のにじみが少ないアルバムを提供する。【解決手段】表面がインクジェットプリンタにて印刷可能な印刷面２０Ａを備えた印刷紙２０を収納可能なアルバム１である。印刷紙２０を収納した状態で、印刷面２０Ａを覆い保護する透明保護フィルム１１を備え、この透明保護フィルム１１には溶剤吸着層１５又は溶剤捕捉層が設けられている。印刷紙２０の印刷面２０Ａを保護フィルム１１で覆うと、印刷面２０Ａと保護フィルム１１の溶剤吸着層１５とは対面し、印刷面２０Ａに残留する溶剤が溶剤吸着層１５に吸着される。よって、残存溶剤による印刷画像のにじみが減少する。【選択図】  図３
2004291295.tif 000002
【特許請求の範囲】
【請求項１】
表面がインクジェットプリンタにて印刷可能な印刷面を備えた印刷紙を収納可能なアルバムであって、
前記印刷紙を収納した状態で、前記印刷面上を覆い保護する透明保護フィルムを備え、この透明保護フィルムには溶剤吸着層又は溶剤捕捉層が設けられていることを特徴とするアルバム。
【請求項２】
前記印刷紙を収納した状態で、この印刷紙の前記印刷面が向かい合う前記透明保護フィルムの表面に前記溶剤吸着層又は前記溶剤捕捉層が設けられていることを特徴とする請求項１記載のアルバム。
【請求項３】
前記溶剤吸着層又は前記溶剤捕捉層の表面は、マット処理されていることを特徴とする請求項２に記載のアルバム。
【発明の詳細な説明】
【０００１】
【発明の属する技術分野】
本発明は、アルバムに関する。
【０００２】
【従来の技術】
近年、デジタルカメラは急速に普及し、さらに、高精度のカラー印刷が可能なプリンタ、特に比較的、低価格のインクジェット方式のプリンタも普及してきたことから、デジタルカメラで撮影した画像をプリンタによって、印刷紙に印刷することは一般的となりつつある。
【０００３】
そして、プリンタで印刷された印刷紙はアルバムに収納される。このアルバムは例えば写真を貼り付けるための台紙と、貼り付けられた写真の表面を覆って保護する透明な保護フィルムからなっている（例えば、特許文献１参照）。
【０００４】
【特許文献１】
特開平９−２７２２７９号公報（第１図）
【０００５】
【発明が解決しようとする課題】
ところが、プリンタで印刷された印刷紙の表面を保護フィルムで覆うと、インク中に残存する溶剤、例えばジエチレングリコール、グリセリン、尿素によって、印刷された画像がぼけてしまうという問題が生じていた。
【０００６】
もちろん、この問題を解決するためには、残存する溶剤を減少させればよいから、印刷後、印刷紙をアルバムに収納しない状態で保管して溶剤を揮散させ、その後にアルバムに収納するようにすればよい。このようにすれば、残存する溶剤は減少するが、残存する溶剤が大気中に拡散する速度は遅いため、アルバムに収納しない状態で保管する時間が例えば数日以上と長くなり現実的でなかった。また、アルバムに収納しない状態で保管すると印刷面にほこりが付着し、印刷面を汚してしまうという問題点もあった。
【０００７】
また、印刷紙を溶剤吸収性の高い紙で包み込み、この紙に残存溶剤を吸収させてから、アルバムに収納することも考えられる。これによれば、残存溶剤を紙によって積極的に吸着させるため、上述の大気中に拡散させるよりは、迅速に残存溶剤の除去を行える。
【０００８】
しかしながら、この方法によっても、紙に溶剤が移行するまでに数時間以上という長時間を要するため現実的ではない。
【０００９】
本発明は上記のような事情に基づいて完成されたものであって、インクジェットプリンタで印刷された印刷紙を収納しても印刷画像のにじみが少ないアルバムを提供することを目的とする。
【００１０】
【課題を解決するための手段】
上記の目的を達成するための手段として、請求項１の発明は、表面がインクジェットプリンタにて印刷可能な印刷面を備えた印刷紙を収納可能なアルバムであって、前記印刷紙を収納した状態で、前記印刷面上を覆い保護する透明保護フィルムを備え、この透明保護フィルムには溶剤吸着層又は溶剤捕捉層が設けられたところに特徴を有する。
【００１１】
請求項２の発明は、請求項１に記載のものにおいて、前記印刷紙を収納した状態で、この印刷紙の前記印刷面が向かい合う前記透明保護フィルムの表面に前記溶剤吸着層又は前記溶剤捕捉層が設けられているところに特徴を有する。
【００１２】
請求項３の発明は、請求項２に記載のものにおいて、前記溶剤吸着層又は前記溶剤捕捉層の表面は、マット処理されているところに特徴を有する。
【００１３】
【発明の作用及び効果】
＜請求項１の発明＞
本請求項のアルバムによれば、透明保護フィルムには溶剤吸着層又は溶剤捕捉層が設けられているから、残存する溶剤は溶剤吸着層又は溶剤捕捉層によって吸着又は捕捉される。よって、残存溶剤による印刷画像のにじみが減少する。
【００１４】
＜請求項２の発明＞
インクジェットプリンタによって印刷された印刷紙では、その印刷面に溶剤が残留しやすい。本請求項のアルバムによれば、印刷紙を収納すると、この印刷紙の印刷面は、透明保護フィルムの表面に設けられた溶剤吸着層又は溶剤捕捉層に向かい合うから、印刷紙の印刷面に残存する溶剤を効率よく吸着又は捕捉することができる。
【００１５】
＜請求項３の発明＞
本請求項のアルバムによれば、溶剤吸着層又は溶剤捕捉層の表面は、マット処理されているから、印刷紙を収納する際に、透明保護フィルムと印刷紙とのブロッキングが防止されてスムーズに収納できる。
【００１６】
【発明の実施の形態】
以下、本発明の実施形態について図１ないし図４を参照しつつ説明する。
本実施形態のアルバム１は、任意枚数の台紙３の一端側５を無線綴によって製本し、この製本された台紙３を表紙７の間に綴じ付けた、いわゆるブック型アルバムである。
【００１７】
台紙３は、厚紙等で構成された支持体９と、この支持体９の表裏両面を全面にわたって被覆する保護フィルム１１とからなっている。支持体９の表裏面には、感圧性の接着層１３が塗布されており、この接着層１３により透明保護フィルム１１の支持体９への着脱が可能となっている。なお、接着層１３は必須ではなく、この接着層１３を有しない形態であってもよい。
【００１８】
保護フィルム１１は、例えばＰＥＴ製の透明フィルムであって、画像印刷した印刷紙２０をアルバム１に収納した際に、その画像を保護フィルム１１を通して見ることができるようになっている。保護フィルム１１は台紙の無線綴とは反対側の一端側１０で支持体９と接着剤によって固着されており、印刷紙２０を収納する際に、保護フィルム１１を無線綴側より支持体９から剥がしても保護フィルム１１と支持体９とが完全には分離できないようになっている（図１参照）。
【００１９】
保護フィルム１１の支持体９側の表面、言い換えれば図３に示すように印刷紙２０を収納した状態で、印刷紙２０の印刷面２０Ａが向かい合う側の表面には、溶剤吸着層１５が設けられている。なお、この溶剤吸着層１５の代わりに溶剤捕捉層を設けてもよい。
【００２０】
溶剤吸着層１５又は溶剤捕捉層は、溶剤吸着性もしくは溶剤捕捉性を有する樹脂、溶剤吸着性もしくは溶剤捕捉性を有する有機化合物、又は溶剤吸着性もしくは溶剤捕捉性を有する無機化合物を含む塗工液を、保護フィルム１１に塗布、乾燥することにより形成される。塗工液の塗工方法としては、特に限定されず、例えば、スライドホッパー方式、カーテン方式、エクストルージョン方式、エアナイフ方式、ロールコーティング方式、ロッドバーコーティング方式等の公知の塗工方法が用いられる。
【００２１】
溶剤吸着性又は溶剤捕捉性を有する樹脂、有機化合物、又は無機化合物としては、特に限定されないが、ポリビニルアルコール、２，２−アゾビス（２−アミノプロパン）二塩酸塩、ｎ−ブチルアクリレート、メチルメタクリレート、ジメチルアクリルアミド、ジアセトンアクリルアミド、アジピン酸ジヒドラジド、水溶性メラミン、カチオン性オリゴマー型界面活性剤、シリカ、コロイダルシリカ等が好ましい。
【００２２】
塗工液には、溶剤吸着性又は溶剤捕捉性を有する樹脂、有機化合物、又は無機化合物に加え、必要に応じて、界面活性剤、着色染料、着色顔料、カチオン性のインク染料定着剤、紫外線吸収剤、酸化防止剤、顔料の分散剤、消泡剤、レベリング剤、防腐剤、蛍光増白剤、粘度安定剤、ｐＨ調節剤等の公知の各種添加剤を添加することもできる。
【００２３】
溶剤吸着層又は溶剤捕捉層の保護フィルム１１への塗工量は、特に限定されない。
【００２４】
さらに、溶剤吸着層１５又は溶剤捕捉層の表面はマット処理されていてもよい。マット処理としては特に限定されず、例えば、上記塗工液に微細無機充填剤等を練り込んで、表面を粗面化してもよいし、溶剤吸着層又は溶剤捕捉層に細かい砂を高速で吹きつけるサンドブラスト法で処理しても良いし、エンボス加工によって表面処理してもよい。
このようにマット処理することで、印刷紙２０を収納する際に、透明保護フィルム１１と印刷紙２０とのブロッキングが防止されてスムーズに収納できる。さらに、マット処理によって、透明保護フィルム１１と印刷紙２０との間には、わずかな隙間ができるから、印刷紙２０を収納した後でも、この隙間から溶剤を揮発させることも可能となる。
【００２５】
さて、次に上記構成のアルバムの作用効果について説明する。まず、デジタルカメラの使用者は、インクジェットプリンタによって画像を印刷紙２０に印刷する。そして、アルバム１の無線綴側から保護フィルム１１を剥がし（図２参照）、画像印刷された印刷紙２０を印刷面２０Ａが保護フィルム１１に面するように挿入する。この際、溶剤吸着層１５の表面はマット処理されているから、印刷紙２０をブロッキングなくスムーズに挿入することができる。
【００２６】
そして、印刷紙２０の印刷面２０Ａを保護フィルム１１で覆う。すると、印刷面２０Ａと保護フィルム１１の溶剤吸着層１５とは対面し、印刷面２０Ａに残留する溶剤が溶剤吸着層１５に吸着される。よって、残存溶剤による印刷画像のにじみが減少する。
【００２７】
【実施例】
以下、実施例により本発明を詳しく説明するが、本発明の内容は実施例に限定されるものではない。
【００２８】
＜実施例１＞
ＰＥＴフィルム（厚さ７５μｍ  ）の表面に溶剤吸着層用のカチオン性オリゴマー型界面活性剤（商品名  アデカカチオエースＰＤ−５０  旭電化工業（株）製）を含有する塗工液を、乾燥後の膜厚が６〜８μｍとなるようにバーコーター法により塗工、１１０℃で２分間の条件で乾燥し、溶剤吸収層を表面に形成したＰＥＴフィルムを調製した。
【００２９】
このようにして調製したＰＥＴフィルムを、表面に感圧性の接着層が設けられた厚紙に、溶剤吸収層が内側になるようにして着脱可能に貼り付けてアルバム台紙とした。
【００３０】
＜比較例１＞
ＰＥＴフィルム（厚さ７５μｍ  ）を、表面に感圧性の接着層が設けられた厚紙に、着脱可能に貼り付けてアルバム台紙とした。
【００３１】
＜評価＞
印画紙タイプ  光沢紙（ヒサゴ株式会社製、型番ＣＪ７０５Ｓ  デジカメ写真カード  光沢紙・厚手  Ｌ判  ）にインクジェットプリンタを用いてデジタルカメラで撮影された画像を印刷した。このようにして印刷された光沢紙の表面（印刷面）をＰＥＴフィルム側となるようにして、実施例及び比較例のアルバム台紙にそれぞれ保存した。なお、実施例及び比較例では、同一の画像が印刷されている光沢紙を使用した。
【００３２】
そして、保存してから１日経過後に、光沢紙における画像のにじみを目視で観察し、その効果を確認した。その結果、実施例１の場合では、画像のにじみは認められなかったが、比較例１のものでは、画像のエッジににじみが観察された。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３４】
（１）上記実施形態では、保護フィルム１１として、ＰＥＴ製の透明フィルムとしたが、材質は特に限定されず、例えば、ＰＥ（ポリエチレン）、ＰＰ（ポリプロピレン）等であってもよい。また、フィルムは、全体が透明でもあっても、一部が透明であってもよい。
【００３５】
（２）上記実施形態では、ブック式のアルバムとして説明したが、台紙の綴じ方は特に限定されず、台紙を増やせるタイプではビス式、バインダー式、増やせないタイプではブック式、溶着式、リング式等であってもよい。
【００３６】
（３）上記実施形態では、厚紙等で構成された支持体９を備えたアルバムとしたが、支持体９を備えないものであってもよい。例えば、図４に示すように支持体９を備えず、単に袋状に形成された保護フィルム１１の中に印刷紙２０を収納する簡易アルバムであっても良い。
【００３７】
（４）上記実施形態では、写真画像を印刷した印刷紙２０を収納するアルバムとしたが、印字した印刷紙を収納するアルバムであってもよい。例えば、名刺のアルバムであってもよい。
【００３８】
（５）上記実施形態では、保護フィルム１１の表面に溶剤吸着層１５が設けられている形態を示したが、溶剤吸着層１５又は溶剤捕捉層は必ずしも保護フィルム１１の表面に設ける必要はなく、例えば、溶剤吸着層１５又は溶剤捕捉層をＰＥＴフィルム等の間に挟み込んだ形態としてもよい。
【図面の簡単な説明】
【図１】本発明の一実施形態に係るアルバムの概略図である。
【図２】アルバム台紙の断面図である。
【図３】印刷紙を収納した状態のアルバム台紙の断面図である。
【図４】他の実施形態のアルバム台紙の断面図である。
【符号の説明】
１…アルバム
３…台紙
５…一端側
７…表紙
９…支持体
１１…保護フィルム（透明保護フィルム）
１３…接着層
１５…溶剤吸着層
２０…印刷紙
２０Ａ…印刷面
【図１】
2004291295.tif 000003
【図２】
2004291295.tif 000004
【図３】
2004291295.tif 000005
【図４】
2004291295.tif 000006